(57)【要約】【課題】  電力を使用しなくとも、夜間に表示内容を視認可能にすることのできる掲示板を提供する。【解決手段】  この掲示板には、蓄光材を含んで、基台の表面に積層するように形成される蓄光層と、蓄光層に対して基台の反対側に積層されて、掲示情報が描画された透過性を有する透過層とが備えられている。【選択図】図５
2005049602.tif 000002
【特許請求の範囲】
【請求項１】
蓄光材を含んで、基台の表面に積層するように形成される蓄光層と、
前記蓄光層に対して、前記基台の反対側に積層されて、掲示情報が描画された透過性を有する透過層とを備えることを特徴とする掲示板。
【請求項２】
請求項１記載の掲示板において、
前記蓄光層と前記透過層との間には、液状ガラスからなるガラス層が介在していることを特徴とする掲示板。
【請求項３】
請求項１又は２記載の掲示板において、
前記掲示情報はバス停情報であり、
前記基台は、バス停標識本体であることを特徴とする掲示板。
【発明の詳細な説明】
【技術分野】
【０００１】
本発明は、掲示板に係り、特に、夜間であっても表示内容を視認できる掲示板に関する。
【背景技術】
【０００２】
従来、各種情報が掲示される例えばバス停標識などの掲示板には、蛍光灯等の内照灯によって内側から表示内容を照らして、夜間であっても表示内容を視認できるものが開発されている（例えば特許文献１参照）。
【特許文献１】特開平１０−２８８９６８号公報
【発明の開示】
【発明が解決しようとする課題】
【０００３】
ここで、特許文献１に記載されるようなバス停標識などの掲示板であると、夜間になれば内照灯を稼働させるために電力を消費することになるが、省エネルギーの観点からこの消費電力を低減させることが望まれている。
本発明の課題は、電力を使用しなくとも、夜間に表示内容を視認可能にすることのできる掲示板を提供することである。
【課題を解決するための手段】
【０００４】
請求項１記載の発明における掲示板は、
蓄光材を含んで、基台の表面に積層するように形成される蓄光層と、
前記蓄光層に対して、前記基台の反対側に積層されて、掲示情報が描画された透過性を有する透過層とを備えることを特徴としている。
【０００５】
請求項１記載の発明によれば、透過性を有する透過層が、蓄光層に対して基台の反対側に積層されているので、蓄光層は昼間に浴びた太陽光線を蓄積することができる。そして、蓄光層は夜間になると発光し、透過層上の掲示情報を照らすようになる。したがって、電力を消費しなくても、夜間に表示内容を視認可能にすることができる。
【０００６】
請求項２記載の発明は、請求項１記載の掲示板において、
前記蓄光層と前記透過層との間には、液状ガラスからなるガラス層が介在していることを特徴としている。
【０００７】
請求項２記載の発明によれば、液状ガラス層が蓄光層と透過層との間に介在しているので、蓄光層は液状ガラスによって覆われ、大気に触れることを防止される。これにより、蓄光層の劣化を抑制でき、長期にわたって安定した発光性を維持させることができる。
【０００８】
請求項３記載の発明は、請求項１又は２記載の掲示板において、
前記掲示情報はバス停情報であり、
前記基台は、バス停標識本体であることを特徴としている。
【０００９】
請求項３記載の発明によれば、バス停標識においても請求項１又は２記載の発明と同等の作用、効果を得ることができる。
【発明の効果】
【００１０】
本発明によれば、蓄光層は昼間に浴びた太陽光線を蓄積することができる。そして、蓄光層は夜間になると発光し、透過層上のバス停情報を照らすようになる。したがって、電力を消費しなくても、夜間に掲示内容を視認可能にすることができる。
また、蓄光層と大気との接触を防止して、蓄光層の劣化を抑制でき、長期にわたって安定した発光性を維持させることができる。
【発明を実施するための最良の形態】
【００１１】
以下、本発明に係る掲示板として、バス停標識を例示して説明するが、掲示板としてはバス停標識に限定されることはなく、各種情報が掲示される掲示板であれば如何なるものでもよく、例えば鉄道の時刻表や駅名標識などが挙げられる。
【００１２】
本実施形態のバス停標識について、図１〜図５を参照にして説明する。図１は、バス停標識の正面図であり、図２はバス停標識の側面図である。
バス停標識１には、歩道Ｓ上に立設された標識本体（基台）２と、標識本体２の表面に貼付される複数の表示用シート３とが備えられている。
各表示用シート３には、発着時刻等のバス停情報（掲示情報）が記載されている。バス停情報には、例えば当該バス停標識が設置される停留所名や、バスの時刻表、路線図、運営会社名、注意書き等が含まれている。本実施形態のバス停標識１では、標識本体２の正面側の上部に貼付された表示用シート３ａに図３に示すような路線図Ｒが記載されており、正面側の下部に貼付された表示用シート３ｂに図４に示すような時刻表Ｔが記載されており、側面側の上部に貼付された表示用シート３ｃに停留所名及び運営会社名などが記載されている。
【００１３】
図５は、表示用シート３を表す断面図であり、この表示用シート３には、例えば樹脂からなるシート状の基材３１が備えられている。基材３１の一面側には、表示用シート３を標識本体２の表面に密着させるための粘着層３２が、基材３１に対して積層するように全面に形成されている。一方、基材３１の他面側には、蓄光材を含んだ蓄光層３３が、基材３１に対して積層するように全面に形成されている。
【００１４】
ここで、蓄光材とは、一定光量の光が照射されている場合にはその光を蓄積し、照射される光が一定光量以下になった場合には発光するものである。この蓄光材としては、バスの運行時間を考慮して日没後数時間発光する蓄光材を適用することが好ましい。数時間発光する蓄光材としては、例えば、表１に記載される化学組成の蓄光材が挙げられる。なお、表１に記載される蓄光材のうち、より好ましいのはＳｒ４Ａｌ１４Ｏ２５：Ｅｕ，Ｄｙである。
【００１５】
【表１】
2005049602.tif 000003
【００１６】
そして、蓄光層３３における標識本体２の反対側には、透過性を有する透過層３５が、液状ガラスからなるガラス層３４を介して、蓄光層３３に対して積層するように全面に形成されている。
ガラス層３４は、液状ガラスを蓄光層３３の表面に塗布し、硬化させることによって形成されている。そして、液状ガラスの硬化後に、バス停情報の描画された透過性シートが貼付されることにより透過層３５が形成されている。ここで、液状ガラス内には気泡ができにくいために、透過性シートを張り替える場合においても蓄光層３３はガラス層３４によって覆われて、空気に触れることが防止されている。これにより、蓄光層３３の劣化を抑制でき、長期にわたって安定した発光性を維持させることができる。
【００１７】
次に、本実施形態におけるバス停標識１の作用について説明する。
バス停標識１は、昼間であれば太陽によって照らされているために、表示用シート３の表示内容は視認可能な状態になっている。この際、表示用シート３の蓄光層３３は、照射された太陽光線を蓄積する。
そして、日没後においては、照射される太陽光線が一定光量以下となるので、表示用シート３の蓄光層３３が発光し、表示用シート３の表示内容が照らされて視認可能な状態となる。
【００１８】
以上のように、本実施形態のバス停標識１によれば、透過性を有する透過層３５が、蓄光層３３に対いて標識本体２の反対側に積層されているので、蓄光層３３は昼間に浴びた太陽光線を蓄積することができる。そして、蓄光層３３は夜間になると発光し、透過層３５上のバス停情報を照らすようになる。したがって、電力を消費しなくても、夜間に表示内容を視認可能にすることができる。
【００１９】
なお、本発明は上記実施形態に限らず適宜変更可能であるのは勿論である。
例えば、本実施形態では、蓄光層３３と透過層３５とが積層するように形成された表示用シート３を標識本体２に貼付したバス停標識１を例示して説明したが、蓄光層と透過層とが基台に対して積層されているのであれば如何なるものであってもよい。例えば、蓄光材を含んだ蓄光塗料を基台の表面に塗布することで蓄光層を形成した後に、その蓄光層上に、掲示情報が描画されて透過性を有した樹脂シートを貼付して透過層を形成することで、基台に対して蓄光層と透過層とを積層するようにしてもよい。
【図面の簡単な説明】
【００２０】
【図１】本実施形態に係る掲示板として例示されるバス停標識を表す正面図である。
【図２】図１のバス停標識を表す側面図である。
【図３】図１のバス停標識に備わる表示用シートの表示内容を表す路線図である。
【図４】図１のバス停標識に備わる表示用シートの表示内容を表す時刻表である。
【図５】図１のバス停標識に備わる表示用シートの概略構成を表す断面図である。
【符号の説明】
【００２１】
１      バス停標識（掲示板）
２      標識本体（基台）
３      表示用シート
３１      基材
３２      粘着層
３３      蓄光層
３４      ガラス層
３５      透過層
【図１】
2005049602.tif 000004
【図２】
2005049602.tif 000005
【図３】
2005049602.tif 000006
【図４】
2005049602.tif 000007
【図５】
2005049602.tif 000008